(57)【要約】      （修正有）【課題】ファクシミリ送信の宛先にて出力される用紙に宛先名をそのままの状態で印刷することができない場合であっても、宛先のユーザが、誰宛のファクシミリ送信であるのかを把握することができるようにする。【解決手段】画像形成装置において、ファクシミリ送信によって宛先に出力される用紙に、ファクシミリ送信者による選択に従って、宛先を識別するための識別情報を印刷するための制御が実行される。ファクシミリ送信者が識別情報として宛先名を選択した場合において、宛先名をそのままの状態で用紙に印刷することができない場合、宛先の電話番号を識別情報として用紙に印刷するための制御を実行する。【選択図】図１
2020156060.tif 000002
【特許請求の範囲】
【請求項１】
宛先にファクシミリ送信する送信手段と、
ファクシミリ送信によって前記宛先にて出力される用紙に、ファクシミリ送信者による選択に従って、前記宛先を識別するための識別情報を印刷するための制御を実行する制御手段と、
を有し、
前記ファクシミリ送信者が前記識別情報として宛先名を選択した場合において、前記宛先名をそのままの状態で前記用紙に印刷することができない場合、前記制御手段は、前記宛先の電話番号を前記識別情報として前記用紙に印刷するための制御を実行する、
情報処理装置。
【請求項２】
前記ファクシミリ送信者による前記識別情報の選択は、前記ファクシミリ送信者がファクシミリ送信の実行を指示する前に予め実行される、
ことを特徴とする請求項１に記載の情報処理装置。
【請求項３】
前記ファクシミリ送信者による前記識別情報の選択は、前記ファクシミリ送信者がファクシミリ送信の実行を指示した後に実行される、
ことを特徴とする請求項１に記載の情報処理装置。
【請求項４】
前記宛先名を表す文字列に含まれる文字の数が、前記用紙において前記識別情報が印刷される領域における文字数制限を超えている場合、前記制御手段は、前記宛先の電話番号を前記識別情報として前記用紙に印刷するための制御を実行する、
ことを特徴とする請求項１から請求項３のいずれか一項に記載の情報処理装置。
【請求項５】
前記宛先名を表す文字列の文字コードが、ファクシミリ送信に用いられる文字コードに対応していない場合、前記制御手段は、前記宛先の電話番号を前記識別情報として前記用紙に印刷するための制御を実行する、
ことを特徴とする請求項１から請求項３のいずれか一項に記載の情報処理装置。
【請求項６】
宛先毎に、前記宛先名の設定欄と、前記宛先の電話番号の設定欄と、前記識別情報の設定欄とが互いに対応付けられた宛先管理情報を記憶する記憶手段を更に有し、
前記ファクシミリ送信者が、前記識別情報の設定欄に前記識別情報が設定されていない宛先をファクシミリ送信の宛先として選択し、かつ、前記識別情報として前記宛先名を選択した場合において、前記宛先名をそのままの状態で前記用紙に印刷することができない場合、前記制御手段は、前記宛先の電話番号を前記識別情報として前記用紙に印刷するための制御を実行する、
ことを特徴とする請求項１から請求項５のいずれか一項に記載の情報処理装置。
【請求項７】
送信元からデータをファクシミリ受信する受信手段と、
前記データに基づく情報を用紙に印刷する印刷手段と、
を有し、
前記データには、ファクシミリ送信者によって選択された、ファクシミリ送信の宛先を識別するための識別情報が含まれており、
前記ファクシミリ送信者が前記識別情報として宛先名を選択した場合において、前記宛先名をそのままの状態で前記用紙に印刷することができない場合、前記印刷手段は、前記宛先の電話番号を前記識別情報として印刷する、
情報処理装置。
【請求項８】
コンピュータを、
宛先にファクシミリ送信する送信手段、
ファクシミリ送信によって前記宛先にて出力される用紙に、ファクシミリ送信者による選択に従って、前記宛先を識別するための識別情報を印刷するための制御を実行する制御手段、
として機能させ、
前記ファクシミリ送信者が前記識別情報として宛先名を選択した場合において、前記宛先名がそのままの状態で前記用紙に印刷することができない場合、前記制御手段は、前記宛先の電話番号を前記識別情報として前記用紙に印刷するための制御を実行する、
プログラム。
【発明の詳細な説明】
【技術分野】
【０００１】
本発明は、情報処理装置及びプログラムに関する。
【背景技術】
【０００２】
ファクシミリ送信の実行によってファクシミリ送信の宛先にて出力される用紙に、宛先を識別するための識別情報が印刷される場合がある。例えば、宛先のユーザが、誰宛のファクシミリ送信であるのかを把握することができるように、宛先名等が識別情報として印刷される場合がある。
【０００３】
特許文献１には、ヘッダ情報に宛先名と発信者名とを含め、当該ヘッダ情報を送信文書信号と合成して送信するファクシミリ端末が記載されている。
【先行技術文献】
【特許文献】
【０００４】
【特許文献１】特開平９−２６１３７７号公報
【発明の概要】
【発明が解決しようとする課題】
【０００５】
ところで、ファクシミリ送信者が、宛先にて印刷される識別情報を選択できる場合において、ファクシミリ送信者が識別情報として宛先名を選択した場合に、文字数の制限や文字コードの制限等に起因して、当該宛先名がそのままの状態で印刷されないことがある。その結果、宛先のユーザが、誰宛のファクシミリ送信であるのかを把握することができない場合がある。
【０００６】
本発明の目的は、ファクシミリ送信の宛先にて出力される用紙に宛先名をそのままの状態で印刷することができない場合であっても、宛先のユーザが、誰宛のファクシミリ送信であるのかを把握することができるようにすることにある。
【課題を解決するための手段】
【０００７】
請求項１に係る発明は、宛先にファクシミリ送信する送信手段と、ファクシミリ送信によって前記宛先にて出力される用紙に、ファクシミリ送信者による選択に従って、前記宛先を識別するための識別情報を印刷するための制御を実行する制御手段と、を有し、前記ファクシミリ送信者が前記識別情報として宛先名を選択した場合において、前記宛先名をそのままの状態で前記用紙に印刷することができない場合、前記制御手段は、前記宛先の電話番号を前記識別情報として前記用紙に印刷するための制御を実行する、情報処理装置である。
【０００８】
請求項２に係る発明は、前記ファクシミリ送信者による前記識別情報の選択は、前記ファクシミリ送信者がファクシミリ送信の実行を指示する前に予め実行される、ことを特徴とする請求項１に記載の情報処理装置である。
【０００９】
請求項３に係る発明は、前記ファクシミリ送信者による前記識別情報の選択は、前記ファクシミリ送信者がファクシミリ送信の実行を指示した後に実行される、ことを特徴とする請求項１に記載の情報処理装置である。
【００１０】
請求項４に係る発明は、前記宛先名を表す文字列に含まれる文字の数が、前記用紙において前記識別情報が印刷される領域における文字数制限を超えている場合、前記制御手段は、前記宛先の電話番号を前記識別情報として前記用紙に印刷するための制御を実行する、ことを特徴とする請求項１から請求項３のいずれか一項に記載の情報処理装置である。
【００１１】
請求項５に係る発明は、前記宛先名を表す文字列の文字コードが、ファクシミリ送信に用いられる文字コードに対応していない場合、前記制御手段は、前記宛先の電話番号を前記識別情報として前記用紙に印刷するための制御を実行する、ことを特徴とする請求項１から請求項３のいずれか一項に記載の情報処理装置である。
【００１２】
請求項６に係る発明は、宛先毎に、前記宛先名の設定欄と、前記宛先の電話番号の設定欄と、前記識別情報の設定欄とが互いに対応付けられた宛先管理情報を記憶する記憶手段を更に有し、前記ファクシミリ送信者が、前記識別情報の設定欄に前記識別情報が設定されていない宛先をファクシミリ送信の宛先として選択し、かつ、前記識別情報として前記宛先名を選択した場合において、前記宛先名をそのままの状態で前記用紙に印刷することができない場合、前記制御手段は、前記宛先の電話番号を前記識別情報として前記用紙に印刷するための制御を実行する、ことを特徴とする請求項１から請求項５のいずれか一項に記載の情報処理装置である。
【００１３】
請求項７に係る発明は、送信元からデータをファクシミリ受信する受信手段と、前記データに基づく情報を用紙に印刷する印刷手段と、を有し、前記データには、ファクシミリ送信者によって選択された、ファクシミリ送信の宛先を識別するための識別情報が含まれており、前記ファクシミリ送信者が前記識別情報として宛先名を選択した場合において、前記宛先名をそのままの状態で前記用紙に印刷することができない場合、前記印刷手段は、前記宛先の電話番号を前記識別情報として印刷する、情報処理装置である。
【００１４】
請求項８に係る発明は、コンピュータを、宛先にファクシミリ送信する送信手段、ファクシミリ送信によって前記宛先にて出力される用紙に、ファクシミリ送信者による選択に従って、前記宛先を識別するための識別情報を印刷するための制御を実行する制御手段、として機能させ、前記ファクシミリ送信者が前記識別情報として宛先名を選択した場合において、前記宛先名がそのままの状態で前記用紙に印刷することができない場合、前記制御手段は、前記宛先の電話番号を前記識別情報として前記用紙に印刷するための制御を実行する、プログラムである。
【発明の効果】
【００１５】
請求項１，７，８に係る発明によれば、ファクシミリ送信の宛先にて出力される用紙に宛先名をそのままの状態で印刷することができない場合であっても、宛先のユーザは、誰宛のファクシミリ送信であるのかを把握することができる。
【００１６】
請求項２に係る発明によれば、ファクシミリ送信者によって予め選択された宛先名が、そのままの状態で印刷することができない場合であっても、宛先のユーザは、誰宛のファクシミリ送信であるのかを把握することができる。
【００１７】
請求項３に係る発明によれば、ファクシミリ送信の実行が指示された後にファクシミリ送信者によって選択された宛先名が、そのままの状態で印刷することができない場合であっても、宛先のユーザは、誰宛のファクシミリ送信であるのかを把握することができる。
【００１８】
請求項４に係る発明によれば、宛先名を表す文字列に含まれる文字の数が文字数制限を超える場合であっても、宛先のユーザは、誰宛のファクシミリ送信であるのかを把握することができる。
【００１９】
請求項５に係る発明によれば、宛先名を表す文字列の文字コードが、ファクシミリ送信に用いられる文字コードに対応していない場合であっても、宛先のユーザは、誰宛のファクシミリ送信であるのかを把握することができる。
【００２０】
請求項６に係る発明によれば、宛先管理情報に宛先の識別情報が設定されていない場合であっても、宛先のユーザは、誰宛のファクシミリ送信であるのかを把握することができる。
【図面の簡単な説明】
【００２１】
【図１】本実施形態に係る画像形成装置の構成を示すブロック図である。
【図２】用紙を示す図である。
【図３】宛先管理テーブルを示す図である。
【図４】画面を示す図である。
【図５】用紙を示す図である。
【図６】用紙を示す図である。
【図７】用紙を示す図である。
【図８】画面を示す図である。
【図９】画面を示す図である。
【図１０】本実施形態に係る画像形成装置による処理を示すフローチャートを示す図である。
【図１１】画面を示す図である。
【発明を実施するための形態】
【００２２】
以下、図１を参照して、本実施形態に係る画像形成装置について説明する。図１には、本実施形態に係る画像形成装置１０の構成の一例が示されている。本実施形態に係る画像形成装置１０は、情報処理装置の一例に相当する。画像形成装置１０は、ファクシミリ通信機能を有する装置である。画像形成装置１０は、ファクシミリ通信専用のファックス装置であってもよいし、ファクシミリ通信機能以外の画像形成機能をも有する複合機であってもよい。
【００２３】
ファクシミリ通信部１２は、ファクシミリ通信規格に従って、通信回線を介してファクシミリデータをファクシミリ通信するように構成されている。ファクシミリ通信部１２は、例えば、ファクシミリデータを宛先にファクシミリ送信する機能、及び、送信元である他の装置からファクシミリ送信されてきたファクシミリデータをファクシミリ受信する機能を有する。ファクシミリ規格として、例えば、Ｇ３、Ｇ４、ＩＰファックス、又は、インターネットファックス等が用いられてもよい。もちろん、これら以外の規格が用いられてもよい。
【００２４】
ファクシミリデータは、ファクシミリ送信の対象となる送信対象画像データと、付帯画像データとを含む。送信対象画像データと付帯画像データは、ビットマップデータ等の画像データである。送信対象画像データは、例えば、後述する画像読取部１４による読み取りによって生成された画像データである。送信対象画像データは、他の装置から画像形成装置１０に送信されてきた画像データであってもよい。付帯画像データは、付帯情報を表す画像データであって、送信対象画像データに付帯されて宛先にファクシミリ送信される画像データである。付帯情報は、少なくとも宛先を識別するための情報を含む情報である。付帯画像データは、例えば、ファクシミリ送信の宛先にて出力される用紙等の記録媒体上の付帯画像領域に印刷される画像データ、又は、宛先にて出力される特定用紙に印刷される画像データである。付帯画像領域は、例えば、用紙の上端部の領域等である。例えば、ヘッダと称されている領域が、付帯画像領域の一例に相当する。特定用紙は、例えば、付帯画像データが印刷される専用の用紙である。付帯画像データについては後で詳しく説明する。
【００２５】
画像読取部１４は、スキャナやカメラ等であり、原稿を読み取ることで、当該原稿を表す画像データを生成するように構成されている。例えば、ファクシミリ送信対象の原稿が画像読取部１４によって読み取られることで、当該原稿を表す画像データが生成される。当該画像データは、送信対象画像データとしてファクシミリデータに含まれる。
【００２６】
印刷部１６は、プリンタであり、印刷対象の画像データに基づく画像を、用紙等の記録媒体に印刷するように構成されている。例えば、ファクシミリ通信部１２がファクシミリデータをファクシミリ受信した場合、印刷部１６は、当該ファクシミリデータに基づく画像を用紙に印刷する。これにより、送信対象画像データに基づく送信対象画像と付帯画像データに基づく付帯画像とが、用紙に印刷される。
【００２７】
通信部１８は通信インターフェースであり、他の装置に情報を送信する機能、及び、他の装置から情報を受信する機能を有する。通信部１８は、Ｗｉ−Ｆｉ（登録商標）等の無線通信機能を有していてもよいし、有線通信機能を有していてもよい。通信部１８は、例えば、ＬＡＮ（Local Area Network）等のネットワークやインターネット等の通信経路を介して、他の装置と通信してもよいし、Ｂｌｕｅｔｏｏｔｈ（登録商標）等の近距離無線通信等を利用することで他の装置と通信してもよい。
【００２８】
ＵＩ部２０はユーザインターフェース部であり、表示部と操作部とを含む。表示部は、液晶ディスプレイ等の表示装置である。操作部は、キーボードや入力キーや操作パネル等の入力装置である。ＵＩ部２０は、表示部と操作部とを兼ね備えたタッチパネル等のＵＩ部であってもよい。
【００２９】
記憶部２２は、各種の情報を記憶する１又は複数の記憶領域である。各記憶領域は、例えば、画像形成装置１０に設けられている１又は複数の記憶装置（例えばハードディスクドライブやメモリ等の物理ドライブ）によって構成されている。例えば、ファクシミリ送信対象のファクシミリデータや、ファクシミリ受信されたファクシミリデータ等が、記憶部２２に記憶される。
【００３０】
記憶部２２には、宛先管理情報が記憶されている。宛先管理情報は、宛先の電話番号等を管理するための情報である。宛先管理情報においては、例えば、宛先毎に、宛先名を示す宛先名情報と、宛先の電話番号を示す電話番号情報と、印刷用宛先識別情報とが対応付けられている。宛先管理情報に含まれている各情報は、ユーザによって宛先管理情報に登録されてもよいし、画像形成装置１０以外の装置から画像形成装置１０に入力されて宛先管理情報に登録されてもよい。例えば、画像形成装置１０が交換された場合、交換前の画像形成装置１０に記憶されていた宛先管理情報が、交換後の画像形成装置１０に入力されて記憶されてもよい。
【００３１】
宛先名情報は、例えば、宛先の氏名や略称やニックネーム等を示す情報である。もちろん、これら以外の情報が、ユーザによって宛先名情報として登録されてもよい。
【００３２】
印刷用宛先識別情報は、ファクシミリ送信の宛先を識別するための情報であって、ファクシミリ送信の宛先にて出力される用紙に印刷される情報である。印刷用宛先識別情報は、宛先管理情報に登録されていなくてもよい。例えば、ユーザが印刷用宛先識別情報を宛先管理情報に登録しない場合がある。また、画像形成装置１０が交換された場合に、印刷用宛先識別情報が交換前の画像形成装置１０から交換後の画像形成装置１０に入力されず、更に、ユーザが印刷用宛先識別情報を宛先管理情報に登録しない場合がある。宛先によって、印刷用宛先識別情報が登録されたり登録されなかったりしてもよい。
【００３３】
ファクシミリ送信者は、宛先管理情報に登録されている宛先をファクシミリ送信の宛先として選択することができる。
【００３４】
また、記憶部２２には、フォントデータが記憶されている。例えば、文字コードとフォントの種類を示す情報との組み合わせと、当該文字コードが示す文字の形状を当該フォントによって表すグリフデータとが対応付けられて、これらがフォントデータとして記憶部２２に記憶されている。グリフデータとして、例えば、アウトラインフォントデータやビットマップフォントデータが用いられる。例えば、ＵＩ部２０の表示部に表示される文字を表すためのグリフデータとして、アウトラインフォントデータが用いられる。また、後述する付帯画像データによって表される文字を表現するためのグリフデータとして、ビットマップフォントデータが用いられる。もちろん、付帯画像データによって表される文字を表すためのグリフデータとして、アウトラインフォントデータが用いられてもよい。
【００３５】
付帯画像生成部２４は、ファクシミリデータに含まれる付帯画像データを生成するように構成されている。付帯画像データは、付帯情報を表す画像データである。付帯情報には、少なくとも印刷用宛先識別情報が含まれている。例えば、印刷用宛先識別情報が文字列によって表されており、付帯画像データは、少なくとも当該文字列を表す画像データである。
【００３６】
付帯情報には、更に、ファクシミリ送信者を識別するための送信者識別情報や、ファクシミリ送信の日時を示す日時情報や、文書の番号を示す情報等が含まれていてもよい。送信者識別情報は、例えば、ファクシミリ送信者名を示す情報や、ファクシミリ送信者の電話番号を示す情報等である。ファクシミリ送信者や日時等が文字列によって表されており、付帯画像データには、更に当該文字列が表されている。なお、付帯情報に含まれる情報は、ファクシミリ送信者や他のユーザ等によって選択されてもよいし、予め定められていてもよい。付帯情報が含まれる情報が、ファクシミリ送信者や他のユーザ等によって選択された場合、付帯画像生成部２４は、その選択された情報を含む付帯情報を生成する。
【００３７】
付帯画像生成部２４は、具体的には、付帯情報を表す文字列に含まれている各文字を対象として、文字毎に、文字を示す文字コードと当該文字の表現に用いられるフォントの種類との組み合わせに対応付けられているグリフデータを記憶部２２から取得し、各文字のグリフデータによって、当該文字列を表す付帯画像データを生成する。
【００３８】
ファクシミリデータ生成部２６は、ファクシミリ送信の対象となる送信対象画像データと、付帯画像生成部２４によって生成された付帯画像データとを合成することで、ファクシミリデータを生成する。送信対象画像データは、画像読取部１４が原稿を読み取ることで生成した画像データであってもよいし、他の装置から画像形成装置１０に送信されてきた画像データであってもよい。
【００３９】
制御部２８は、画像形成装置１０の各部の動作を制御するように構成されている。また、制御部２８は、決定部３０を含む。
【００４０】
決定部３０は、付帯情報に含まれる印刷用宛先識別情報を決定するように構成されている。付帯画像生成部２４は、決定部３０によって決定された印刷用宛先識別情報を含む付帯情報を表す付帯画像データを生成する。
【００４１】
例えば、ファクシミリ送信者が宛先管理情報からファクシミリ送信の宛先を選択した場合において、印刷用宛先識別情報が、その選択された宛先に対応付けられて宛先管理情報に登録されている場合、決定部３０は、その登録されている印刷用宛先識別情報を、付帯情報に含まれる情報として決定する。
【００４２】
印刷用宛先識別情報が、ファクシミリ送信者によって選択された宛先に対応付けられて宛先管理情報に登録されていない場合、決定部３０は、予め定められた優先順位又はファクシミリ送信者の選択に従って、宛先管理情報において、当該宛先に対応付けられている宛先名情報、又は、当該宛先に対応付けられている電話番号情報を、付帯情報に含まれる印刷用宛先識別情報として決定する。
【００４３】
優先順位又はファクシミリ送信者の選択に従って、付帯情報に含まれる印刷用宛先識別情報として宛先名情報が決定された場合において、宛先名情報が示す宛先名が特定条件を満たす場合、制御部２８は、当該宛先名に代えて、当該宛先に対応付けられている電話番号情報を印刷用宛先識別情報として、宛先にて出力される用紙に印刷するための制御を実行する。具体的には、決定部３０は、当該宛先名に代えて、当該宛先に対応付けられている電話番号情報を、付帯情報に含まれる印刷用宛先識別情報として決定する。当該宛先名が当該特定条件を満たさない場合、決定部３０は、宛先名情報を、付帯情報に含まれる印刷用宛先識別情報として決定する。
【００４４】
宛先名が特定条件を満たす場合とは、宛先名をそのままの状態で、ファクシミリ送信の宛先にて出力される用紙に印刷することができない場合である。特定条件は、例えば、文字数制限に関する条件や、文字コードに関する条件等である。例えば、宛先名を表す文字列の文字数が、予め定められた閾値を超えている場合、当該宛先名は特定条件を満たす。また、宛先名を表す文字列中の各文字の文字コードが、ファクシミリ送信に用いられる文字コードに対応していない場合、つまり、各文字の文字コードに対応付けられているグリフデータが記憶部２２に記憶されていない場合、当該宛先名は特定条件を満たす。これらの処理については後で詳しく説明する。
【００４５】
なお、ファクシミリ送信の宛先の装置は、例えば、ファクシミリ通信部１２、画像読取部１４、印刷部１６、ＵＩ部２０、記憶部及び制御部を含む。宛先の装置は、画像形成装置１０と同じ構成を有する装置であってもよい。宛先の装置においては、ファクシミリ通信部１２が、ファクシミリ送信元である画像形成装置１０からファクシミリ送信されたファクシミリデータをファクシミリ受信し、印刷部１６が、当該ファクシミリデータに基づく画像（つまり送信対象画像と付帯画像）を用紙に印刷する。
【００４６】
以下、具体例を挙げて、画像形成装置１０について更に詳しく説明する。
【００４７】
図２には、ファクシミリ送信の宛先にて出力される用紙の一例が示されている。なお、図２には、用紙３２の一部が示されている。用紙３２上の送信対象画像領域３４は、ファクシミリデータに含まれている送信対象画像データに基づく送信対象画像が印刷される領域である。用紙３２上のヘッダ領域３６は、ファクシミリデータに含まれている付帯画像データに基づく付帯画像が印刷される領域である。ヘッダ領域３６は、例えば、用紙３２の上端部の領域であり、付帯画像領域の一例に相当する。ヘッダ領域３６には、付帯情報に含まれている各情報を表す付帯画像が印刷される。例えば、ファクシミリ送信者名（つまり発信者名）を表す文字列を、送信日時を表す文字列、文書番号を表す文字列、及び、印刷用宛先識別情報を表す文字列が、ヘッダ領域３６に印刷されている。なお、図２に示されている付帯情報は一例に過ぎず、他の情報（例えばファクシミリ送信者の電話番号等）がヘッダ領域３６に印刷されてもよい。
【００４８】
ファクシミリデータ生成部２６は、ヘッダ領域３６に付帯画像が印刷されるように、送信対象画像データに付帯画像データを合成する。例えば、ファクシミリデータ生成部２６は、送信対象画像データの先頭部分に付帯画像データを合成する。
【００４９】
図２に示す例では、送信対象画像領域３４とヘッダ領域３６とが重なっていないが、ヘッダ領域３６の全部又は一部が、送信対象画像領域３４に重なるように設定されてもよい。この場合、送信対象画像上に重畳して付帯画像の一部又は全部が印刷される。
【００５０】
ヘッダ領域３６は付帯画像領域の一例に過ぎず、用紙の下端部の領域や側部の領域等が、付帯画像領域として定められてもよい。この場合、ファクシミリデータ生成部２６は、当該付帯画像領域に付帯画像が印刷されるように、送信対象画像データに付帯画像データを合成する。なお、ファクシミリデータ生成部２６は、付帯画像データを加工して送信対象画像データに合成してもよい。
【００５１】
また、付帯画像はヘッダ領域３６に印刷されずに、送信対象画像が印刷される用紙とは別の専用の用紙に印刷されてもよい。専用の用紙は、例えば、件名や宛先名やファクシミリ送信者名や送信日時や連絡先や概要や送信枚数等が印刷される用紙であり、一般的に送付状や送信シート等と称されている用紙である。
【００５２】
図３には、宛先管理テーブルの一例が示されている。宛先管理テーブルのデータは、宛先管理情報の一例に相当する。
【００５３】
宛先管理テーブルは、宛先名の設定欄、宛先の電話番号の設定欄、及び、印刷用宛先識別情報の設定欄を有する。宛先管理テーブルにおいては、宛先毎に、管理ＩＤと、宛先名を示す情報と、宛先の電話番号を示す情報と、印刷用宛先識別情報とが対応付けられている。宛先名、電話番号及び印刷用宛先識別情報は、ユーザによって宛先管理テーブルに登録されてもよいし、他の装置から画像形成装置１０に送信されてきて宛先管理テーブルに登録されてもよい。また、ユーザは、宛先管理テーブルに登録されている各情報を変更したり削除したりしてもよい。印刷用宛先識別情報の設定欄は、識別情報の設定欄の一例に相当する。
【００５４】
図３に示す例では、管理ＩＤが「１」から「３」のそれぞれの宛先については、印刷用宛先識別情報が登録されている。管理ＩＤが「４」の宛先については、印刷用宛先識別情報は登録されていない。印刷用宛先識別情報の設定欄に入力されている情報は、宛先名の欄に入力されている情報と同じ場合もあれば、異なる場合もある。宛先名の設定欄に入力されている情報は、ファクシミリ送信者が宛先を認識するための情報であると想定される。印刷用宛先識別情報の設定欄に入力されている情報は、ファクシミリ送信の宛先にて出力される用紙に印刷される情報であり、ファクシミリ受信者がファクシミリデータの宛先を認識するための情報であると想定される。そのため、宛先名の設定欄には、ファクシミリ送信者自身が宛先を認識することができる情報が入力されることが想定され、印刷用宛先識別情報の設定欄には、ファクシミリ受信者が宛先を認識することができる情報が入力されることが想定される。
【００５５】
各設定欄には文字列が入力される。ここで入力される文字は、文字コードを有する記号であり、例えば、言語を示す記号であってもよいし、言語以外の絵や図形を示す記号であってもよい。例えば、特殊文字と称される文字が入力されてもよい。また、使用される文字コードの規格は特に限定されない。
【００５６】
例えば、管理ＩＤが「１」の宛先においては、文字列「ＡＡＡ」が宛先名の設定欄と印刷用宛先識別情報の設定欄の両方に入力されている。また、管理ＩＤが「２」の宛先においては、文字列「ＢＢＢ」が宛先名の設定欄に入力されており、文字列「ＡＢＣＤＥＦ」が印刷用宛先識別情報の設定欄に入力されている。
【００５７】
図４には、宛先表の表示例が示されている。例えば、ファクシミリ送信者がＵＩ部２０を用いて宛先表の表示を指示すると、制御部２８は、宛先表をＵＩ部２０の表示部に表示させる。例えば図４に示すように、表示部の画面３８に宛先表が表示される。宛先表は、各宛先の宛先名と電話番号との一覧を表している。各宛先の宛先名と電話番号は、宛先管理テーブルに登録されている情報である。なお、印刷用宛先識別情報も宛先表に含まれて表示されてもよい。
【００５８】
ファクシミリ送信者が宛先表の中から宛先を選択すると、制御部２８は、ファクシミリ送信者によって選択された宛先を、ファクシミリ送信の宛先に設定する。ファクシミリ送信者がＵＩ部２０を用いてファクシミリ送信の実行を指示すると、ファクシミリ通信部１２は、設定された宛先の電話番号に対して、ファクシミリデータをファクシミリ送信する。宛先においては、ファクシミリデータに基づく送信対象画像と付帯画像とが用紙に印刷される。
【００５９】
例えば、ファクシミリ送信者が、印刷用宛先識別情報の設定欄に印刷用宛先識別情報が設定されている宛先を選択した場合、ファクシミリ送信の宛先にて出力される用紙３２のヘッダ領域３６に、当該印刷用宛先識別情報が印刷される。
【００６０】
図５を参照して、具体例を挙げて説明する。図５には、ファクシミリ送信の宛先にて出力される用紙の一例が示されている。管理ＩＤが「１」の宛先については、文字列「ＡＡＡ」が印刷用宛先識別情報の設定欄に入力されて、当該設定欄に印刷用宛先識別情報が設定されている。従って、管理ＩＤが「１」の宛先がファクシミリ送信の宛先として選択された場合、文字列「ＡＡＡ」を示す印刷用宛先識別情報が付帯情報に含まれ、図５に示すように、文字列「ＡＡＡ」を表す画像を含む付帯画像が、ヘッダ領域３６に印刷される。
【００６１】
一方、ファクシミリ送信者が、印刷用宛先識別情報の設定欄に印刷用宛先識別情報が設定されていない宛先を選択した場合、決定部３０は、予め定められた優先順位又はファクシミリ送信者の選択に従って、印刷用宛先識別情報を決定する。優先順位は、例えば、ファクシミリ送信者又はその他のユーザによって、予め定められてもよいし、印刷用宛先識別情報の利用履歴に基づいて定められてもよい。
【００６２】
図６及び図７を参照して、具体例を挙げて説明する。図６及び図７には、ファクシミリ送信の宛先にて出力される用紙の一例が示されている。管理ＩＤが「４」の宛先については、文字列が印刷用宛先識別情報の設定欄に入力されておらず、当該設定欄に印刷用宛先識別情報は設定されていない。従って、決定部３０は、優先順位又はファクシミリ送信者の選択に従って、印刷用宛先識別情報を決定する。
【００６３】
例えば、優先順位が予め定められている場合、決定部３０は、その優先順位に従って印刷用宛先識別情報を決定する。なお、優先順位を示す情報は、記憶部２２に予め記憶されている。宛先名の優先順位が電話番号の優先順位よりも高い場合において、ファクシミリ送信者によって選択された宛先についての宛先名が宛先管理テーブルに登録されている場合、決定部３０は、ファクシミリ送信者によって選択された宛先についての宛先名を示す情報を、印刷用宛先識別情報として決定する。管理ＩＤが「４」の宛先についての宛先名は「ＤＤＤＤ」であるため、文字列「ＤＤＤＤ」を示す情報が、印刷用宛先識別情報として決定される。この場合、文字列「ＤＤＤＤ」を示す印刷用宛先識別情報が付帯情報に含まれ、図６に示すように、文字列「ＤＤＤＤ」を表す画像を含む付帯画像が、ヘッダ領域３６に印刷される。
【００６４】
電話番号の優先順位が宛先名の優先順位よりも高い場合、決定部３０は、ファクシミリ送信者によって選択された宛先についての電話番号を示す情報を、印刷用宛先識別情報として決定する。管理ＩＤが「４」の宛先についての電話番号は「３４５６７８９０１２」であるため、文字列「３４５６７８９０１２」を示す情報が、印刷用宛先識別情報として決定される。この場合、文字列「３４５６７８９０１２」を示す情報が付帯情報に含まれ、図７に示すように、文字列「３４５６７８９０１２」を表す画像を含む付帯画像が、ヘッダ領域３６に印刷される。
【００６５】
また、優先順位に従って、宛先名を示す情報が、印刷用宛先識別情報として決定された場合であっても、当該宛先名が特定条件を満たす場合、決定部３０は、宛先名に代えて、電話番号を示す情報を印刷用宛先識別情報として決定する。
【００６６】
例えば、上記のようにして決定された宛先名を表す文字列に含まれる文字の数が、ヘッダ領域３６において印刷用宛先識別情報が印刷される領域における文字数制限を超えている場合、当該宛先名は特定条件を満たす。例えば、宛先名を表す文字列の文字数が、予め定められた閾値を超えている場合、当該宛先名は特定条件を満たす。この場合、決定部３０は、ファクシミリ送信者によって選択された宛先についての電話番号を示す情報を印刷用宛先識別情報として決定する。閾値は、例えば、ヘッダ領域３６において印刷用宛先識別情報が印刷される領域に印刷可能な文字の最大数が予め定められており、その最大数が閾値として用いられる。例えば、閾値が１８文字であり、宛先名の文字列が文字列「ＤＤＤＤＤＤＤＤＤＤＤＤＤＤＤＤＤＤＤ株式会社」のように、宛先名の文字数が１８文字を超える場合、決定部３０は、ファクシミリ送信者によって選択された宛先についての電話番号を示す情報を印刷用宛先識別情報として決定する。上記の文字列の文字数は２３文字であるため、仮に上記の文字列がヘッダ領域３６に印刷された場合、文字列の先頭から１８文字分の文字は印刷されるが、その後の５文字分の文字は印刷されない。具体的には、文字列「ＤＤＤＤＤＤＤＤＤＤＤＤＤＤＤＤＤＤ」を表す画像は、ヘッダ領域３６に印刷されるが、文字列「株式会社」を表す画像は印刷されない。このような宛先名を表す文字列は、そのままの状態では用紙に印刷することができない文字列である。宛先名を表す文字列の文字数が文字数制限を超えて、その結果、宛先名を表す文字列がそのままの状態で用紙に印刷することができない場合であっても、宛先名の代わりに電話番号をヘッダ領域３６に印刷することで、宛先のユーザは、誰宛のファクシミリ送信であるのかを把握することができる。なお、上記の閾値は、ファクシミリ送信者や他のユーザによって変更されてもよい。
【００６７】
上記のようにして決定された宛先名を表す文字列の文字数が、上記の閾値以下である場合、当該宛先名は特定条件を満たさない。この場合、当該宛先名を表す画像を含む付帯画像が、ヘッダ領域３６に印刷される。
【００６８】
また、上記のようにして決定された宛先名を表す文字列の文字コードが、ファクシミリ送信に用いられる文字コードに対応していない場合、つまり、当該文字コードに対応付けられているグリフデータが記憶部２２に記憶されていない場合、当該宛先名は特定条件を満たす。この場合、決定部３０は、ファクシミリ送信者によって選択された宛先についての電話番号を示す情報を印刷用宛先識別情報として決定する。例えば、宛先名の文字列が文字列「ＤＤＤＤ（株）」であり、文字「（株）」の文字コードに対応付けられているグリフデータが記憶部２２に記憶されていない場合、決定部３０は、電話番号を示す情報を印刷用宛先識別情報として決定する。仮に文字列「ＤＤＤＤ（株）」がヘッダ領域３６に印刷された場合、文字「（株）」はそのままの状態では印刷されず、別の画像が印刷される。例えば、「■」等の画像が印刷される。このような宛先名の文字列は、そのままの状態では用紙に印刷することができない文字列である。宛先名を表す文字列の文字コードがファクシミリ送信の文字コードに対応しておらず、その結果、宛先名を表す文字列がそのままの状態で用紙に印刷することができない場合であっても、宛先名の代わりに電話番号をヘッダ領域３６に印刷することで、宛先のユーザは、誰宛のファクシミリ送信であるのかを把握することができる。
【００６９】
上記のようにして決定された宛先名を表す文字列の文字コードが、ファクシミリ送信に用いられる文字コードに対応している場合、つまり、当該文字コードに対応付けられているグリフデータが記憶部２２に記憶されている場合、当該宛先名は特定条件を満たさない。この場合、当該宛先名を表す画像を含む付帯画像が、ヘッダ領域３６に印刷される。
【００７０】
なお、ファクシミリ送信者によって選択された宛先についての宛先名が、宛先管理テーブルに登録されていない場合がある。例えば、電話番号のみが登録されて、宛先名が登録されていない場合がある。この場合において、ファクシミリ送信者によって選択された宛先の印刷用宛先識別情報が、宛先管理テーブルに登録されていない場合、決定部３０は、ファクシミリ送信者によって選択された宛先についての電話番号を示す情報を、印刷用宛先識別情報として決定する。
【００７１】
決定部３０は、ファクシミリ送信者によって宛先名又は電話番号が選択された場合、ファクシミリ送信者によって選択された宛先名又は電話番号を示す情報を、印刷用宛先識別情報を決定してもよい。ファクシミリ送信者による選択は、ファクシミリ送信者がファクシミリ送信の実行を指示する前に実行されてもよいし、ファクシミリ送信者がファクシミリ送信の実行を指示した後に実行されてもよい。
【００７２】
例えば、ファクシミリ送信者が宛先表の中からファクシミリ送信の宛先（例えば管理ＩＤが「４」の宛先）を選択した場合において、その宛先の印刷用宛先識別情報が宛先管理テーブルに登録されていない場合、制御部２８は、印刷用宛先識別情報の選択をユーザに促すための情報をＵＩ部２０の表示部に表示させる。制御部２８は、例えば、ファクシミリ送信者がファクシミリ送信の実行を指示する前に、印刷用宛先識別情報の選択をユーザに促すための情報を表示部に表示させる。上述したように、ファクシミリ送信者によって選択された宛先についての宛先名が、宛先管理テーブルに登録されていない場合があるため、ファクシミリ送信者によって選択された宛先についての宛先名が宛先管理テーブルに登録されている場合に、制御部２８は、印刷用宛先識別情報の選択をユーザに促すための情報を表示部に表示させてもよい。
【００７３】
図８には、印刷用宛先識別情報の選択をユーザに促すための情報の一例が示されている。図８に示すように、例えば、表示部の画面３８に、その選択をユーザに促すためのメッセージが表示される。例えば、「宛先にて印刷される印刷用宛先識別情報が宛先管理テーブルに登録されていません。印刷用宛先識別情報を選択してください。」等のメッセージが表示される。また、印刷用宛先識別情報の候補である、「宛先名」と「電話番号」が表示される。ファクシミリ送信者によって選択された宛先についての宛先名を表す文字列や、その宛先の電話番号を表す文字列が、画面３８に表示されてもよい。管理ＩＤが「４」の宛先がファクシミリ送信者によって選択されているため、その宛先名を表す文字列「ＤＤＤＤ」や、その宛先の電話番号を表す文字列「３４５６７８９０１２」が、画面３８に表示されてもよい。
【００７４】
ファクシミリ送信者が、画面３８上で「宛先名」を選択した場合、決定部３０は、文字列「ＤＤＤＤ」を示す情報を、印刷用宛先識別情報として決定する。文字列「ＤＤＤＤ」を示す印刷用宛先識別情報は付帯情報に含まれ、図６に示すように、文字列「ＤＤＤＤ」を表す画像を含む付帯画像が、ヘッダ領域３６に印刷される。
【００７５】
ファクシミリ送信者が、画面３８上で「電話番号」を選択した場合、決定部３０は、文字列「３４５６７８９０１２」を示す情報が、印刷用宛先識別情報として決定する。文字列「３４５６７８９０１２」を示す印刷用宛先識別情報は付帯情報に含まれ、図７に示すように、文字列「３４５６７８９０１２」を表す画像を含む付帯画像が、ヘッダ領域３６に印刷される。
【００７６】
また、ファクシミリ送信者が、宛先名を示す情報を印刷用宛先識別情報として選択した場合であっても、当該宛先名が特定条件を満たす場合、決定部３０は、ファクシミリ送信者によって選択された宛先名に代えて、ファクシミリ送信者によって選択された宛先についての電話番号を示す情報を、印刷用宛先識別情報として決定する。
【００７７】
例えば、ファクシミリ送信者によって選択された宛先名を表す文字列の文字数が、予め定められた閾値を超える場合、決定部３０は、ファクシミリ送信者によって選択された宛先についての電話番号を示す情報を、印刷用宛先識別情報として決定する。ファクシミリ送信者によって選択された宛先名を表す文字列の文字数が、閾値以下である場合、当該宛先名を示す情報が、印刷用宛先識別情報として用いられる。
【００７８】
また、ファクシミリ送信者によって選択された宛先名を表す文字列の文字コードが、ファクシミリ送信に用いられる文字コードに対応していない場合、決定部３０は、ファクシミリ送信者によって選択された宛先についての電話番号を示す情報を、印刷用宛先識別情報として決定する。ファクシミリ送信者によって選択された宛先名を表す文字列の文字コードが、ファクシミリ送信に用いられる文字コードに対応している場合、当該宛先名を示す情報が、印刷用宛先識別情報として用いられる。
【００７９】
また、ファクシミリ送信者によって選択された宛先の印刷用宛先識別情報が宛先管理テーブルに登録されていない場合、制御部２８は、ファクシミリ送信者がファクシミリ送信の実行を指示した後に、印刷用宛先識別情報の選択をユーザに促すための情報をＵＩ部２０の表示部に表示させてもよい。例えば、ユーザがＵＩ部２０を操作することで、ファクシミリ送信の実行が指示される。この場合も、図８に示されているメッセージが表示部に表示され、ファクシミリ送信者によって印刷用宛先識別情報が選択される。
【００８０】
なお、宛先名が上記の特定条件を満たすことで、ファクシミリ送信者によって選択された宛先についての電話番号を示す情報が、印刷用宛先識別情報として決定された場合、制御部２８は、その旨を示す情報をＵＩ部２０の表示部に表示させてもよい。図９には、その表示例が示されている。例えば、「宛先名をそのままの状態で印刷することができません。印刷される情報を宛先の電話番号に変更しました。」といったメッセージが、表示部の画面３８に表示される。その画面３８上で、ファクシミリ送信者が「ＯＫ」ボタンを押すと、電話番号を示す情報が、印刷用宛先識別情報として確定される。なお、画面３８に「キャンセル」ボタンが表示され、ファクシミリ送信者が「キャンセル」ボタンを押した場合、電話番号を示す情報は、印刷用宛先識別情報として確定されず、宛先名を示す情報が、印刷用宛先識別情報として確定されてもよい。もちろん、図９に示されている情報は表示されずに、電話番号を示す情報が印刷用宛先識別情報として用いられてもよい。
【００８１】
また、宛先管理テーブルの電話番号の設定欄に入力されている文字列を示す情報に、電話番号以外の付加情報が含まれている場合がある。
【００８２】
例えば、ファクシミリ送信者の電話番号（つまり発信者番号）を宛先にて非通知にするための情報として、文字列「１８４」が電話番号に付加される場合がある。また、ファクシミリ送信者の電話番号を宛先に通知するための情報として、文字列「１８６」が電話番号に付加される場合がある。
【００８３】
また、ファクシミリ送信に使用される通信回線を指定するための情報が、電話番号に付加される場合がある。例えば、文字列「＜１＞」は、通信回線１を指定するための文字列である。文字列「＜２＞」は、通信回線２を指定するための文字列である。文字列「＜３＞」は、通信回線３を指定するための文字列である。
【００８４】
また、ＤＴＭＦ（Dual Tone Multi Frequency）方式にて、特定の相手のみと通信する機能である親展送信の実行を指示するための情報として、文字列「！」が電話番号に付加される場合がある。
【００８５】
また、パスワードをかけてファクシミリ送信する機能であるパスワード送信の実行を指示するための情報として、文字列「Ｓ」が電話番号に付加される場合がある。
【００８６】
上記の付加情報は、例えば、ファクシミリ送信者や他のユーザ等によって電話番号に付加される。例えば、電話番号を示す文字列の先頭に付加情報が付加される。
【００８７】
宛先管理テーブル中の電話番号の設定欄に入力されている文字列を示す情報が、印刷用宛先識別情報として決定された場合において、当該文字列に上記の付加情報が含まれている場合、付帯画像生成部２４は、当該文字列から当該付加情報を削除し、電話番号のみを示す印刷用宛先識別情報を生成する。付帯画像生成部２４は、電話番号のみを示す印刷用宛先識別情報を含む付帯情報を表す付帯画像データを生成する。なお、電話番号のみを示す印刷用宛先識別情報を生成するために付加情報が削除された場合であっても、宛先管理テーブルの電話番号の設定欄に入力されている文字列は変更されない。
【００８８】
例えば、電話番号を示す文字列「０１２３４５６７８９」に、電話番号を非通知にするための文字列「１８４」が付加されて、文字列「１８４０１２３４５６７８９」が、電話番号の設定欄に入力されているものとする。電話番号の設定欄に入力されている文字列を示す情報が、印刷用宛先識別情報として決定された場合、付帯画像生成部２４は、文字列「１８４０１２３４５６７８９」から文字列「１８４」を削除することで、文字列「０１２３４５６７８９」を生成する。付帯画像生成部２４は、当該文字列「０１２３４５６７８９」を示す情報を含む付帯情報を表す付帯画像データを生成する。その結果、ヘッダ領域３６には、文字列「１８４」を表す画像は印刷されず、文字列「０１２３４５６７８９」を表す画像を含む付帯画像が印刷される。他の付加情報についても同様である。
【００８９】
以下、図１０を参照して、画像形成装置１０による処理について説明する。図１０には、当該処理を示すフローチャートが示されている。
【００９０】
ファクシミリ送信者がＵＩ部２０を用いて、図４に示されている宛先表からファクシミリ送信の宛先を選択した場合、決定部３０は、ファクシミリ送信者によって選択された宛先を示す情報（例えば管理ＩＤ）を取得する（Ｓ０１）。
【００９１】
次に、決定部３０は、記憶部２２に記憶されている宛先管理テーブルを参照する。ファクシミリ送信の宛先として選択された宛先についての印刷用宛先識別情報の設定欄に、文字列が入力されている場合（Ｓ０２，Ｙｅｓ）、決定部３０は、当該設定欄に入力されている文字列を示す情報を、印刷用宛先識別情報として決定する（Ｓ０３）。
【００９２】
ファクシミリ送信の宛先として選択された宛先についての印刷用宛先識別情報の設定欄に、文字列が入力されていない場合（Ｓ０２，Ｎｏ）、処理はステップＳ０４に移行する。ここでは一例として、優先順位に従って印刷用宛先識別情報が決定されるものとする。電話番号の優先順位が宛先名の優先順位よりも高い場合（Ｓ０４，Ｙｅｓ）、決定部３０は、宛先管理テーブルにおいて、ファクシミリ送信者によって選択された宛先についての電話番号の設定欄に入力されている文字列を示す情報を、印刷用宛先識別情報として決定する（Ｓ０５）。当該文字列に、電話番号以外の付加情報が付加されている場合、付帯画像生成部２４は、当該文字列から当該付加情報を削除する（Ｓ０６）。
【００９３】
優先順位が用いられずに、ファクシミリ送信者によって印刷用宛先識別情報が選択されてもよい。ファクシミリ送信者によって、電話番号を示す情報が印刷用宛先識別情報として選択された場合、決定部３０は、宛先管理テーブルにおいて、ファクシミリ送信者によって選択された宛先についての電話番号の設定欄に入力されている文字列を示す情報を、印刷用宛先識別情報として決定してもよい（Ｓ０５）。
【００９４】
ファクシミリ送信の宛先として選択された宛先についての印刷用宛先識別情報の設定欄に、文字列が入力されていない場合において（Ｓ０２，Ｎｏ）、電話番号の優先順位が宛先名の優先順位よりも低い場合（Ｓ０４，Ｎｏ）、処理はステップＳ０７に移行する。優先順位が用いられずに、ファクシミリ送信者によって、宛先名を示す情報が印刷用宛先識別情報として選択された場合、処理はステップＳ０７に移行する。
【００９５】
宛先管理テーブルにおいて、ファクシミリ送信者によって選択された宛先についての宛先名の設定欄に文字列が入力されていない場合（Ｓ０７，Ｎｏ）、つまり当該宛先の宛先名が宛先管理テーブルに登録されていない場合、決定部３０は、ステップＳ０５以降の処理を実行する。
【００９６】
宛先管理テーブルにおいて、ファクシミリ送信者によって選択された宛先についての宛先名の設定欄に文字列が入力されている場合（Ｓ０７，Ｙｅｓ）、つまり当該宛先の宛先名が宛先管理テーブルに登録されている場合、処理はステップＳ０８に移行する。
【００９７】
宛先名の設定欄に入力されている文字列の文字数が、閾値を超える場合（Ｓ０８，Ｙｅｓ）、決定部３０は、ステップＳ０５以降の処理を実行する。
【００９８】
宛先名の設定欄に入力されている文字列の文字数が、閾値を超えていない場合（Ｓ０８，Ｎｏ）、処理はステップＳ０９に移行する。
【００９９】
宛先名の設定欄に入力されている文字列中の各文字の文字コードに対応付けられているグリフデータが、記憶部２２に記憶されていない場合（Ｓ０９，Ｎｏ）、決定部３０は、ステップＳ０５以降の処理を実行する。
【０１００】
宛先名の設定欄に入力されている文字列中の各文字の文字コードに対応付けられているグリフデータが、記憶部２２に記憶されている場合（Ｓ０９，Ｙｅｓ）、制御部２８は、宛先名の設定欄に入力されている文字列に問題がないかをファクシミリ送信者が確認するための情報を、ＵＩ部２０の表示部に表示させる（Ｓ１０）。
【０１０１】
例えば、図１１には、その表示例が示されている。表示部の画面３８には、宛先名の設定欄に入力されている文字列（例えば文字列「ＤＤＤＤ」）が表示され、更に、「宛先名の設定欄に入力されている文字列が、宛先にて印刷されます。問題ありませんか？」といったメッセージが表示される。
【０１０２】
ファクシミリ送信者が、画面３８上で「問題あり」ボタンを押した場合（Ｓ１１，Ｙｅｓ）、決定部３０は、ステップＳ０５以降の処理を実行する。
【０１０３】
ファクシミリ送信者が、画面３８上で「問題なし」ボタンを押した場合（Ｓ１１，Ｎｏ）、決定部３０は、宛先名の設定欄に入力されている文字列を示す情報を、印刷用宛先識別情報として決定する（Ｓ１２）。
【０１０４】
付帯画像生成部２４は、上記のようにして決定された印刷用宛先識別情報を含む付帯情報を生成し、当該付帯情報を表す付帯画像データを生成する。
【０１０５】
ファクシミリ通信部１２は、当該付帯画像データと送信対象画像データとを含むファクシミリデータを、ファクシミリ送信者によって選択された宛先の電話番号宛にファクシミリ送信する。
【０１０６】
ファクシミリ送信の宛先の装置においては、印刷部１６が、ファクシミリデータに基づく画像を用紙に印刷する。印刷部１６は、例えば図２に示すように、用紙３２中の送信対象画像領域３４に、送信対象画像データに基づく送信対象画像を印刷し、ヘッダ領域３６に、付帯画像データに基づく付帯画像を印刷する。優先順位又はファクシミリ送信者の選択に従って、宛先名を示す情報が印刷用宛先識別情報として選択された場合において、宛先名が特定条件を満たす場合、上述したように、宛先の電話番号を示す情報が付帯情報に含まれて付帯画像データが生成される。従って、宛先の装置の印刷部１６は、宛先の電話番号を表す画像を含む付帯画像を、ヘッダ領域３６に印刷することになる。
【０１０７】
なお、ファクシミリ送信の宛先として選択された宛先についての印刷用宛先識別情報の設定欄に文字列が入力されていない場合、制御部２８は、上記のようにして決定された印刷用宛先識別情報が示す文字列を、当該設定欄に入力してもよい。制御部２８は、印刷用宛先識別情報を入力するか否かをユーザに問い合わせるための情報をＵＩ部２０の表示部に表示させてもよい。ユーザが入力の指示を与えた場合、制御部２８は、印刷用宛先識別情報が示す文字列を、印刷用宛先識別情報の設定欄に入力する。
【０１０８】
上記の画像形成装置１０の各部の機能は、一例としてハードウェアとソフトウェアとの協働により実現される。具体的には、画像形成装置１０は、図示しないＣＰＵ等の１又は複数のプロセッサを有している。当該１又は複数のプロセッサが、図示しない記憶装置に記憶されたプログラムを読み出して実行することで、画像形成装置１０の各部の機能が実現される。上記プログラムは、ＣＤ又はＤＶＤ等の記録媒体を経由して、又は、ネットワーク等の通信経路を経由して、記憶装置に記憶される。別の例として、画像形成装置１０の各部の機能は、例えばプロセッサ、電子回路又はＡＳＩＣ（Application Specific Integrated Circuit）等のハードウェア資源により実現されてもよい。その実現においてメモリ等のデバイスが利用されてもよい。更に別の例として、画像形成装置１０の各部の機能は、ＤＳＰ（Digital Signal Processor）又はＦＰＧＡ（Field Programmable Gate Array）等によって実現されてもよい。
【符号の説明】
【０１０９】
１０  画像形成装置、１２  ファクシミリ通信部、２４  付帯画像生成部、２６  ファクシミリデータ生成部、２８  制御部、３０  決定部。
【図１】
2020156060.tif 000003
【図２】
2020156060.tif 000004
【図３】
2020156060.tif 000005
【図４】
2020156060.tif 000006
【図５】
2020156060.tif 000007
【図６】
2020156060.tif 000008
【図７】
2020156060.tif 000009
【図８】
2020156060.tif 000010
【図９】
2020156060.tif 000011
【図１０】
2020156060.tif 000012
【図１１】
2020156060.tif 000013